(57)【要約】【課題】けらば軒端部の、妻面からの張り出し寸法を拡大するのに有利で、施工性にも優れる勾配屋根の軒先構造を提供する。【解決手段】本発明の勾配屋根の軒先構造は、切妻部分の妻面１から張り出した複数本の母屋９によってけらば部分５を支持するとともに、平面６から勾配方向に持ち出した腕木４０によって軒先部分を支持するように構成された勾配屋根において、妻面１の角部から持ち出す腕木を、妻面１及び平面６に対し平面視略４５度の角度をなす斜め腕木５０となし、この斜め腕木５０と、これに隣接する他の腕木４０とに跨がって軒先母屋２１を取り付け、この軒先母屋２１をけらば軒端部８まで延長したことを特徴とする。【選択図】図６
2006207280.tif 000002
【特許請求の範囲】
【請求項１】
切妻部分の妻面から、屋根勾配と直交する方向に張り出させた複数本の母屋によってけらば部分を支持するとともに、
上記妻面と直交する切妻部分の平面から勾配方向に持ち出した腕木によって軒先部分を支持するように構成された勾配屋根において、
妻面の角部から持ち出す腕木を、妻面及び平面に対し平面視略４５度の角度をなす斜め腕木となし、
この斜め腕木と、これに隣接する他の腕木とに跨がって軒先母屋を取り付け、この軒先母屋をけらば軒端部まで延長したことを特徴とする勾配屋根の軒先構造。
【請求項２】
切妻部分の妻面から屋根勾配と直交する方向に張り出させた複数本の母屋によってけらば部分を支持するとともに、
上記妻面に近接する入隅の谷部から谷の延長方向に持ち出した入隅腕木によって入隅の軒先部分を支持するように構成された勾配屋根において、
妻面の角部から上記入隅腕木と平行に斜め腕木を持ち出し、
この斜め腕木と上記入隅腕木とに跨がって軒先母屋を取り付け、この軒先母屋をけらば軒端部まで延長したことを特徴とする勾配屋根の軒先構造。
【請求項３】
斜め腕木は、少なくとも一枚のウェブに相当する部分と、少なくとも上下一枚のフランジに相当する部分を備えた断面形状の鋼材、または該鋼材の複合体からなり、その基端部が鋼製の取付プレートを介して、妻面または平面に沿って配される梁材にボルト・ナット締結されたことを特徴とする請求項１または２に記載の勾配屋根の軒先構造。
【請求項４】
斜め腕木は、その上面が切妻部分の屋根勾配に沿うように、軸回りに捻った状態で取り付けられたことを特徴とする請求項１、２または３に記載の勾配屋根の軒先構造。
【発明の詳細な説明】
【技術分野】
【０００１】
本発明は、切妻部分を有する勾配屋根の軒先構造に関する。
【背景技術】
【０００２】
本出願人は、切妻屋根を備えた建物として特許文献１記載の建物を提案している。図１に示すように、この建物の特徴は、妻面１の一部を平面視Ｌ字形に屈曲させて凸部２と凹部３を形成するとともに、この凸部２及び凹部３の全体を覆うようにして切妻屋根４のけらば部分５を張り出させることによって、妻面１の外観に陰影を付与した点にある。
【０００３】
図２〜図４は、上記の建物における、けらば及び軒先の屋根構造を示す。図２に示す符号１０は屋根の勾配方向に沿って配された鋼製の登り梁である。登り梁１０は、棟方向に適宜間隔をあけて配置され、図示しない棟材と桁行方向の梁材２８との間に架設される。これら登り梁１０の上面間に跨って、木製母屋７及び鋼製母屋９が、屋根勾配と直交する方向に取り付けられ、建物の凸部２からは木製母屋７が、建物の凹部３からは鋼製母屋９が、それぞれ水平に張り出す。妻面１からの張り出し寸法が大きくなる凹部３の上方には剛性の高い鋼製母屋９を使用することにより、けらば部分５の強度を確保する構造である。
【０００４】
また、凹部３を覆うけらば部分５の屋根は軒先まで延びるため、けらば軒端部８近傍の強度を確保すべく、軒側に鋼製のけらば軒フレーム２０を設けている。けらば軒フレーム２０は、屋根の勾配方向に沿って配される２本の腕木２２、２３と、これら腕木２２、２３よりもけらば側で屋根勾配と平行に配されるけらば端部フレーム材２４と、両腕木２２、２３間、及び腕木２３とけらば端部フレーム材２４との間に差し渡される複数本の短い母屋２５と、両腕木２２、２３及びけらば端部フレーム材２４の先端に跨って水平に配される軒端部フレーム材２６とを方形枠状に連結してなるものである。このけらば軒フレーム２０は、両腕木２２、２３が連結プレート２７を介して桁行方向の梁材２８に連結されることにより、片持ち状態で支持される。軒端部フレーム材２６には、軒先母屋取付プレート３０を介して軒先母屋２１が取り付けられる。
【特許文献１】特開２０００−１１０３７６号公報
【発明の開示】
【発明が解決しようとする課題】
【０００５】
本出願人が実施している実用的な仕様によれば、上記屋根構造を採用することにより、けらば軒端部８の妻側への張り出し寸法を２ｍ程度まで確保することが可能になった。しかし、上記のような鋼製のけらば軒フレーム２０は重量が大きいので、これを吊り上げて軒先に連結する作業は容易でなく、施工性の改善が求められていた。また、けらば軒端部８の張り出し寸法をさらに大きくしようとすると、それを支持する部材にはより大きな荷重負担が生じるので、けらば軒端部５近傍の剛性を確保しつつ支持構造全体を軽量化することも求められていた。
【０００６】
さらに、例えば図５に示すように、直交する二方向の棟１１、１２を備えた複合的な勾配屋根において、切妻のけらば軒端部８と入隅の谷部１３とが近接するような部位にあっては、妻面１に沿って配される腕木１４が谷部１３と干渉する場合があり、このような場合は、上記のような屋根構造を実施できなくなるという設計上の問題があった。
【０００７】
本発明はかかる事情に鑑みてなされたもので、その目的は、けらば軒端部８における妻面１からの張り出し寸法を拡大するのに有利で、施工性にも優れる勾配屋根の軒先構造を提供することにある。併せて本発明は、図５に示すような、切妻のけらば軒端部８と入隅の谷部１３とが近接するような部位においても不都合なく実施することのできる勾配屋根の軒先構造を提供することを目的とする。
【課題を解決するための手段】
【０００８】
上記した目的を達成するため、本発明の勾配屋根の軒先構造の第一の構成は、切妻部分の妻面から屋根勾配と直交する方向に張り出させた複数本の母屋によってけらば部分を支持するとともに、上記妻面と直交する切妻部分の平（ひら）面から勾配方向に持ち出した腕木によって軒先部分を支持するように構成された勾配屋根において、妻面の角部から持ち出す腕木を、妻面及び平面に対し平面視略４５度の角度をなす斜め腕木となし、この斜め腕木と、これに隣接する他の腕木とに跨がって軒先母屋を取り付け、この軒先母屋をけらば軒端部まで延長したことを特徴とする。
【０００９】
この構成によれば、妻面の角部から持ち出した斜め腕木の先端部がけらば軒端部に近づくので、妻側に張り出す軒先母屋の支持間隔（斜め腕木の先端部と、斜め腕木に隣接して平面から勾配方向に持ち出した腕木の先端部との間隔）を拡げることができる。これにより、軒先母屋の控え長さが従来よりも拡大して、けらばの張り出し寸法を従来よりも拡大することが可能になる。
【００１０】
また、本発明の勾配屋根の軒先構造の第二の構成は、切妻部分の妻面から屋根勾配と直交する方向に張り出させた複数本の母屋によってけらば部分を支持するとともに、上記妻面に近接する入隅の谷部から谷の延長方向に持ち出した入隅腕木によって入隅の軒先部分を支持するように構成された勾配屋根において、妻面の角部から上記入隅腕木と平行に斜め腕木を持ち出し、この斜め腕木と上記入隅腕木とに跨がって軒先母屋を取り付け、この軒先母屋をけらば軒端部まで延長したことを特徴とする。
【００１１】
この構成によれば、妻面の角部から持ち出した斜め腕木が、入隅の谷部から持ち出した入隅腕木と干渉するのを避けることができるとともに、斜め腕木の先端部がけらば軒端部に近づくので、妻側に張り出す軒先母屋の支持間隔（斜め腕木の先端部と入隅腕木の先端部との間隔）を確保しやすくなる。こうして、軒先母屋の控え長さが確保されることにより、けらばの張り出し寸法を従来よりも拡大することが可能になる。
【００１２】
さらに、上記第一、第二のいずれの構成によっても、斜め腕木の先端部がけらば軒端部に近づくことから、けらば軒端部の荷重負担が軽減される。これにより、重量の大きいけらば軒フレームを使用していた従来の軒先構造に比べて、けらば軒端部近傍の構造を簡略化することが可能になり、現場における施工性が向上するとともに、部材の製作加工に要する手間も軽減される。
【００１３】
上記第一及び第二の構成において、斜め腕木は、斜め腕木は、少なくとも一枚のウェブに相当する部分と、少なくとも上下一枚のフランジに相当する部分を備えた断面形状の鋼材、または該鋼材の複合体からなり、その基端部が鋼製の取付プレートを介して、妻面または平面に沿って配される梁材にボルト・ナット締結されたものとするのが好ましい。このような構成により、斜め腕木自体の剛性や梁材との連結強度を確保しつつ、軒先部分の構造全体を軽量化することができる。
【００１４】
さらに、斜め腕木は、その上面が切妻部分の屋根勾配に沿うように、軸回りに捻った状態で取り付けられてもよい。この構成によれば、斜め腕木の上面に、軒先部分を仕上げるための各種部材を取り付ける際の納まりが良好になり、軒先部分の厚みを薄く納めるのにも有利になる。
【発明の効果】
【００１５】
上述のように構成される本発明の勾配屋根の軒先構造によれば、妻面の角部から持ち出した斜め腕木の先端部がけらば軒端部に近づくことにより、妻側に張り出して支持される軒先母屋の支持状態が良好になり、けらばの張り出し寸法を従来よりも拡大することが可能になる。
【００１６】
また、けらば軒端部の荷重負担が軽減されることから、けらば軒端部近傍の構造を従来よりも簡略化することが可能になり、部材の製作加工や現場での施工が容易になる。
【発明を実施するための最良の形態】
【００１７】
以下、本発明の実施の形態について図を参照して説明する。
【実施例１】
【００１８】
図６〜図８は、例えば図１中に丸囲みで示したようなけらば軒端部８に本発明を適用したときの実施例を示す。図６及び図７は、けらば軒端部近傍の上面図であり、両図における屋根の勾配方向は下向きである。
【００１９】
例示した軒先構造において、建物本体の妻面１からけらば方向に持ち出す母屋９の支持構造は、図２に示したのと同様である。すなわち、棟方向に適宜間隔をあけ、屋根の勾配方向に沿って配された鋼製の登り梁１０の上面に鋼製母屋９を取り付け、この鋼製母屋９をけらば方向に持ち出している。鋼製母屋９の先端部は、破風下地板３１によって連結される。
【００２０】
建物本体の平面６から軒先に向かっては、平面６と直交する腕木４０を勾配方向に持ち出して、その先端部に軒先母屋２１を取り付ける。例示形態にかかる腕木４０の構造は、図４に示した軒フレーム２０を構成する腕木２２と類似しており、一対のリップ付き溝形鋼を、そのウエブ部分を背合わせにして連結している。腕木４０の基端部には、取付プレート４１が、両ウェブ間に挟まれた状態で固着されている。この取付プレート４１を、平面６に配される桁行方向の梁材２８にボルト・ナット締結することにより、腕木４０が片持ち状態で固定される。また、腕木４０の先端部には、軒先母屋取付プレート４２が、両ウェブ間に挟まれた状態で固着され、この軒先母屋取付プレート４２に軒先母屋２１が取り付けられる。
【００２１】
本発明の特徴は、妻面１の角部から、妻面１及び平面６に対し平面視略４５度の角度をなす斜め腕木５０を持ち出した点にある。この斜め腕木５０は、上記平面６と直交する腕木４０と協働して軒先母屋２１を支持する部材であって、その先端部をけらば軒端部８に
近づけることにより、軒先母屋２１の支持間隔を拡げて、軒先母屋２１の持ち出し寸法を拡大するのに寄与する。
【００２２】
例示形態にかかる斜め腕木５０の部材構造は、平面６と直交する腕木４０に類似し、一対のリップ付き溝形鋼を、そのウエブ部分を背合わせにして構成されている。基端部には、両ウェブ間に挟まれるようにして鋼製の取付プレート５１が固着されている。取付プレート５１の取付面は斜め腕木５０の材軸に対して斜めになるように形成され、この取付面が、建物本体の妻面１に沿って配される梁材２９または、建物本体の平面６に沿って配される梁材２８にボルト・ナット締結される。また、先端部には、両ウェブ間に挟まれるようにして鋼製の軒先母屋取付プレート５２が固着されている。軒先母屋取付プレート５２の取付面も斜め腕木５０の材軸に対して斜めになるように形成され、この取付面に軒先母屋２１が取り付けられる。
【００２３】
さらに、斜め腕木５０は、その上面（背合わせにされた一対のリップ付き溝形鋼の上フランジ面）が屋根勾配に沿うように、部材自体を軸回りに捻った状態で取り付けられている。図８は、斜め腕木５０の形状及び取付状態を、真上から見下ろした図（ａ）、材軸に対して真横から見た図（ｂ）、及び、けらば方向に向かって平面と平行に見た図（ｃ）によって示している。このようにして、斜め腕木５０の上面を屋根勾配と平行にすることにより、斜め腕木５０の上面に軒先部分を仕上げるための各種部材を取り付ける際の納まりが良好になり、軒先部分の厚みを薄く納めるのにも有利になる。
【００２４】
例示の形態では、建物本体から軒側に張り出した位置において、腕木４０と斜め腕木５０との間、及び斜め腕木５０と破風下地板３１との間に、短い母屋９１、９２が差し渡されて軒先部分を補強している。これら各母屋９１、９２は、腕木４０及び斜め腕木５０の側部に設けられた側面視略Ｌ字形の母屋受け金具４３、５３にそれぞれ取り付けられている。
【実施例２】
【００２５】
図９〜図１０は、例えば図５中に示したような、直交する二方向の棟１１、１２を備えた複合的な勾配屋根において、切妻のけらば軒端部８と入隅の谷部１３とが近接するような丸囲み部分に部分に本発明を適用したときの実施例を示す。
【００２６】
この軒先構造においても、建物本体の妻面１からけらば方向に持ち出す母屋９の支持構造は、図２に示したのと同様である。すなわち、屋根の勾配方向に沿って配された鋼製の登り梁１０の上面に鋼製母屋９を取り付け、この鋼製母屋９をけらば方向に持ち出している。鋼製母屋９の先端部は、破風下地板３１によって連結される。
【００２７】
二方向の勾配屋根が入隅をなす谷部１３においては、その延長方向、すなわち二方向の平面６ａ、６ｂに対し平面視略４５度の角度をなす方向に入隅腕木６０を持ち出して、入隅の軒先部分を支持する。例示形態にかかる入隅腕木６０の構造も、既述した腕木２２や斜め腕木６０と類似しており、一対のリップ付き溝形鋼を、そのウエブ部分を背合わせにして連結したものである。入隅腕木６０の基端部には、取付プレート６１が、両ウェブ間に挟まれた状態で固着されている。この取付プレート６１を、平面６ａに沿って配される梁材２８ａと、平面６ｂに沿って配される梁材２８ｂとの交差部にボルト・ナット締結することにより、入隅腕木６０が片持ち状態で固定される。また、入隅腕木６０の先端部には、軒先母屋取付プレート６２が両ウェブ間に挟まれた状態で固着され、この軒先母屋取付プレート６２に、二方向の軒先母屋２１ａ、２１ｂが取り付けられる。
【００２８】
そして、妻面１の角部からは、上記実施例１と同様にして、妻面１及び平面６ａに対し平面視略４５度の角度をなす斜め腕木５０を持ち出す。この斜め腕木５０は、上記入隅腕木６０と協働して、けらば方向に持ち出される軒先母屋２１ａを支持する。こうして、斜め腕木６０の先端部をけらば軒端部８に近づけることにより、軒先母屋２１ａの支持間隔が拡がり、軒先母屋２１ａのけらば側への持ち出し寸法を拡大することができる。斜め腕木５０の部材構造や梁材２９への取付構造は、上記実施例１において説明したのと同様である。この実施例においても、斜め腕木５０及び入隅腕木６０の側面に設けた母屋受け金具５３、６３を利用して、軒先部分に短い母屋９１、９２、９３を差し渡すことができる。
【００２９】
図１１は、図９に示した本発明の軒先構造と比較するための参考図であって、妻面１の角部から屋根の勾配方向に沿って持ち出した腕木１５により軒先母屋２１ａを支持する、従来の一般的な軒先構造を示している。両図の比較から明らかなように、図１１に示す軒先構造では、軒先母屋２１ａの支持間隔（腕木１５の先端部と入隅腕木６０の先端部との間隔）が狭く、軒先母屋２１ａのけらば側への持ち出し寸法が大きくて、構造的なバランスが悪くなるのに対し、図９に示す本発明の軒先構造では、軒先母屋２１ａの支持間隔（斜め腕木５０の先端部と入隅腕木６０の先端部との間隔）が拡がるので、軒先母屋２１ａの支持状態がはるかに安定する。
【００３０】
また、図５に示したように、けらば軒端部８と入隅の谷部１３とが近接するような屋根形態においても、斜め腕木５０と入隅腕木６０とが干渉しないので、設計上の不都合が生じない。
【００３１】
なお、斜め腕木５０自体の部材構造については、例示した一対のリップ付き溝形鋼からなるもののほか、例えばリップのない溝形鋼を背合わせにしたもの、Ｈ形鋼や角形鋼管を利用するものなど、適宜変更可能である。ただし、けらば軒端部近傍の剛性を確保しつつ構造全体を軽量化するには、やはり鋼材が有利であり、その基本的な断面形状は、少なくとも一枚のウェブに相当する部分と、少なくとも上下一枚のフランジに相当する部分を有するものであるのが望ましい。また、斜め腕木と建物本体の梁材との取り合い部分は、複数本のボルト・ナットにより強固に連結固定されるのが望ましい。軒先部分の納まりについては、斜め腕木自体の部材構造に合わせて適宜決定されればよい。
【産業上の利用可能性】
【００３２】
本発明の勾配屋根の軒先構造は、少なくとも一部に切妻部分を有する一般家屋の勾配屋根において、そのけらば軒端部近傍に幅広く利用することができる。
【図面の簡単な説明】
【００３３】
【図１】本発明の勾配屋根の軒先構造を実施しようとする建物の屋根形態の一例を示した斜視図である。
【図２】上記建物における、けらば部分の屋根構造を示す斜視図である。
【図３】上記建物のけらば軒端部近傍に採用された、従来の技術に係る屋根構造を示す上面略図である。
【図４】図３に示したけらば軒端部近傍の屋根構造を詳細に示す斜視図である。
【図５】二方向の棟を備えた複合的な勾配屋根の一例を示す上面図である。
【図６】本発明の実施例１に係る勾配屋根の軒先構造を示す上面略図である。
【図７】図６に示したけらば軒端部近傍の屋根構造を詳細に示す上面図である。
【図８】図７に示した斜め腕木の形状及び取付状態の詳細を示す図であって、（ａ）は斜め腕木を真上から見下ろした図、（ｂ）は斜め腕木を材軸に対して真横から見た図、（ｃ）は斜め腕木をけらば方向に向かって平面と平行に見た図である。
【図９】本発明の実施例２に係る勾配屋根の軒先構造を示す上面略図である。
【図１０】図９に示したけらば軒端部及び入隅近傍の屋根構造を詳細に示す上面図である。
【図１１】図９に示した本発明の勾配屋根の軒先構造と比較するための参考略図である。
【符号の説明】
【００３４】
１  妻面
５  けらば部分
６、６ａ  平面
８  けらば軒端部
９  母屋
１３  谷部
２１、２１ａ  軒先母屋
２８、２９  梁材
４０  腕木
５０  斜め腕木
５１  取付プレート
６０  入隅腕木
【図１】
2006207280.tif 000003
【図２】
2006207280.tif 000004
【図３】
2006207280.tif 000005
【図４】
2006207280.tif 000006
【図５】
2006207280.tif 000007
【図６】
2006207280.tif 000008
【図７】
2006207280.tif 000009
【図８】
2006207280.tif 000010
【図９】
2006207280.tif 000011
【図１０】
2006207280.tif 000012
【図１１】
2006207280.tif 000013